Podtech/llm-jp-corpus-v4-ja_patent huggingface dataset:
(57)【要約】【課題】単にカードの収集やゲームに供されるだけでなく、実用的な効果も併せ持つことができる消しゴムを提供することをその課題とする。【解決手段】熱可塑性エラストマーを主成分とする消しゴム１において、薄型方形の形状を有し、その片面若しくは両面にゲームに適する模様が表されていることを特徴とする。なお、少なくとも前記片面に表示された模様は、キャラクターの図柄２が及びそのステータス３がテキストで印刷されているのが好ましい。【選択図】図１
0003103590.tif 000002
【実用新案登録請求の範囲】
【請求項１】
熱可塑性エラストマーを主成分とする消しゴムにおいて、薄型方形の形状を有し、その片面若しくは両面にゲームに適する模様が表されていることを特徴とする消しゴム。
【請求項２】
少なくとも前記片面に表示された模様は、キャラクターの図柄及びそのステータスの説明が印刷されていることを特徴とする、請求項１記載の消しゴム。
【請求項３】
少なくとも前記片面に表示された模様は、彫刻されていることを特徴とする、請求項１又は２に記載の消しゴム。
【考案の詳細な説明】
【技術分野】
【０００１】
本考案は、表面にゲームに適した適宜模様の印刷を施した消しゴムに関するものである。
【背景技術】
【０００２】
近年、友達と交換したり、またゲーム遊戯をするためのカードゲームが流行している。通常のカードゲームは、紙製又は合成樹脂製のカード表面に適宜のキャラクターの模様が印刷されているとともに、キャラクターが保有するいろいろな属性が印刷され、互いに同時に自分のカードを見せ合って、キャラクターの属性を比較して優劣を競い合うものである。カードには色々な種類があり、特別のカードは印刷も凝っており、数も少なく、希少価値がある。
【０００３】
このため、上記カードゲームでは、カードを収集するか、またはゲームするかに供されるだけであり、それ以外の用途は全くなかった。また、同じカードを重複して所有した場合、無駄なので破棄してしまっているのが現状である。
【特許文献１】実開平４−３５４７８号公報
【考案の開示】
【考案が解決しようとする課題】
【０００４】
しかしながら、単にカードを収集するか、またはゲームするかというだけでは、面白みがなく、飽き易いという問題があった。
【０００５】
本考案は上記問題点を解消し、単にカードの収集やゲームに供されるだけでなく、実用的な効果も併せ持つことができる消しゴムを提供することをその課題とする。
【課題を解決するための手段】
【０００６】
本考案に係る消しゴムは、熱可塑性エラストマーを主成分とする消しゴムにおいて、薄型方形の形状を有し、その片面若しくは両面にゲームに適する模様が表されていることを特徴とする。
【０００７】
なお、少なくとも前記片面に表示された模様は、キャラクターの図柄が及びそのステータスの説明が印刷されているのが好ましい。
【０００８】
また、少なくとも前記片面に表示された模様は、彫刻されているものであってもよい。
【考案の効果】
【０００９】
請求項１に係る考案によれば、薄型方形の形状を有しているので、カード形状であり、その片面若しくは両面にゲームに適する模様が表されているので、ゲームをすることができるほか、薄いので、コレクションしても嵩張らない。また、消しゴムであるから、例えば同じ消しゴムを重複して保有する場合は文字消しとして使用することができる。さらに、やむを得ず、使う用途がない場合でも、熱可塑性エラストマーを主成分としているので、リサイクルが可能であり、廃棄によって環境を汚す可能性が小さい。
【００１０】
請求項２に係る考案によれば、少なくとも前記片面に表示された模様は、キャラクターの図柄及びそのステータスがテキスト（文字）で印刷されているので、カードゲームと全く同じ感覚でゲームを楽しむことができる。
【００１１】
請求項３に係る考案によれば、少なくとも前記片面に表示された模様は彫刻されているので、単なるカードとは異なる立体感、リアル感を表現することができる。
【考案を実施するための最良の形態】
【００１２】
図１において符号１は消しゴムを示す。この消しゴム１は、熱可塑性エラストマーを主たる成分とし、薄型で方形の形状を有している。
【００１３】
鉛筆の芯は黒鉛でできている。鉛筆で字を書くということは、黒鉛の粉を紙にくっつけるということであり、消しゴムで字を消すということは、黒鉛の粉を消しゴムにくっつけ、紙から取るということである。このように、消しゴム１は黒鉛はくっつくが、紙にはくっつかないという性質をもつもので、合成ゴムやＳＢＲ樹脂や炭酸カルシウムを主原料とするものが多い。しかし、リサイクルという面からみれば、スチレン系やエステル系などの熱可塑性エラストマーが好ましい。
【００１４】
次に、消しゴム１の両面にはゲームに適する模様が表されている。すなわち、図１に示されるように、一方の片面１ａにはキャラクターの図柄２及びそのステータス３が文字で印刷されている。
【００１５】
キャラクターはゲームの内容と関係のあるもので、大きく表示して印刷される。キャラクターの形態は、想像上の動物であることが多いが、これに限定されるものではない。
【００１６】
ステータス３は、キャラクターが持つ、性能、全長、重量、パワー、特殊技能などの属性のことで、文字で表示されている。
【００１７】
これにより、キャラクターの形態とその性能、特徴が片面から読み取ることができる。
【００１８】
また、他方の面１ｂには模様４が彫刻されている。この模様４はゲームの内容に関係しなくてもよいが、ゲームのイメージと関連するものであるのが好ましい。
【００１９】
上述のように、上記消しゴム１は、薄型方形の形状を有しているので、カード形状であり、その片面１ａ若しくは両面１ａ、１ｂにゲームに適する模様、すなわちキャラクターの図柄２及びそのステータス３の説明がテキスト（文字）で印刷されているので、カードゲームと全く同じ感覚でゲームを楽しむことができる。ゲームとしては、例えばお互いに同時に消しゴム１を出し合って、その表面のキャラクターとステータス情報を見比べてどちらが強いかによって勝敗を決めるという遊びができる。
【００２０】
カードゲームは、コレクション性が高いものであり、種々のキャラクターのカードを収集する楽しみがあるが、上記消しゴム１も、薄いのでコレクションしても嵩張らない。
【００２１】
また、消しゴムであるから、例えば同じ消しゴム１を重複して保有する場合は文字消しとして使用することができる。文房具としても嵩張らないから、鉛筆などと一緒にペンケースなどにコンパクトに収納できる。さらに、やむを得ず、使う用途がない場合でも、熱可塑性エラストマーを主成分としているので、リサイクルが可能であり、廃棄によって環境を汚す可能性が小さい。
【００２２】
さらに、上記消しゴム１は、カードに比べればかなり肉厚で、裏面に表示された模様を彫刻することができるので、単なるカードとは異なる立体感、リアル感を表現することができる。
【図面の簡単な説明】
【００２３】
【図１】本考案に係る消しゴムの斜視図である。
【図２】上記消しゴムの裏面の斜視図である。
【符号の説明】
【００２４】
１    消しゴム
２    キャラクターの図柄
３    ステータスを表す文字
【図１】
0003103590.tif 000003
【図２】
0003103590.tif 000004
(57)【要約】【課題】本考案の、ウインドクリーンウオッシャー装置は、ウインドガラスに付着して、ウインドウオッシャー液で取りきれない、ギラつく油膜をよりキレイに取り除き、前方の視界を良好にして安全運転を確保するもの。【解決手段】ウインドウオッシャー装置に、油膜取り液噴射口を樹脂材で一体化形成した装置にする事で、今までウインドウオッシャー液で取り除けなかったギラつく油膜を、油膜取り液を噴射してワイパーブレードで拡散する事で、ウインドガラスの油膜がよりキレイに取り除くことができる事により、前方の視界を良好にして、雪や雨降りの運転で、対向車のライトの光で目がくらむ事無く、安全運転ができるウインドクリーンウオッシャー装置。【選択図】図３
0003103587.tif 000002
【実用新案登録請求の範囲】
【請求項１】
本考案は、ウインドガラスに付着した油膜をよりキレイに取り除く事を目的に考案したもの、ウインドウオッシャー液、噴射口の並びに油膜取り液の、噴射口を樹脂材で一体化した噴射装置に形成したもので、乗用車、バス、トラックのウインドガラスに、油膜が付着し、今まで見えにくかった前方の視界が、油膜取り液を噴射して、ワイパーブレード装置で、ウインドガラスに拡散し、ギラついた油膜をよりキレイに取り除き、前方の視界を良好にして、安全走行を確保するウインドクリーンウオッシャー装置。
【請求項２】
請求項１にある、バス、トラックのウインドウオッシャー噴射装置においても、装置の形は円筒形と異なるが、ウオッシャー液噴射口の並びに、油膜取り液噴射口を設ける事により、ウインドガラスの油膜がよりキレイに取れて、対向車のライトの光に目がくらむ事無くより安全運転ができるウインドクリーンウオッシャー装置。
【考案の詳細な説明】
【技術分野】
【０００１】本考案は、車両用ウインドウオッシャー装置に関する。
【背景技術】
【０００２】車両用ウインドウオッシャー装置、ワイパーブレード装置はあるがウインドガラスの油膜がキレイに取れなかった。
【考案の開示】
【考案が解決しようとする課題】
【０００３】ウインドガラスに付着した、ギラつく油膜をよりキレイに取り除き前方の視界を良好にして安全走行を確保する。
【課題を解決するための手段】
【０００４】ウインドウオッシャー液噴射口に、油膜取り液噴射口を樹脂材で一体化形成した。
【考案の効果】
【０００５】本考案の、ウインドクリーンウオッシャー装置は、油膜取り装置を新たに設けた事により、ウインドガラスに付着した油膜がよりキレイに洗い流されて、前方の視界が見やすく確保され、安全運転につながる装置。
【考案を実施するための最良の形態】
【０００６】図は本考案実施の一例を示すもので（１）は噴射装置を示し、ウインドウオッシャー液噴射口と、油膜取り液噴射口を樹脂材で一体化形成したもの（２）は油膜取り液噴射口を示し、油膜とり液流路を確保した噴射口、ウオッシャー液で取れない油膜をよりキレイに取り除く装置（３）はウインドウオッシャー液噴射口示し、ウインドガラスに付着した汚れを洗いながす装置（４）は自動車のボディを示す（５）は油膜取り液流路を示す（６）はウインドウオッシャー液流路を示す（７）はウインドガラスを示す（８）はウインドウオッシャー液を示す、ウインドガラスに付着した汚れを洗い流す液。（９）は油膜取り液を示す、ウインドガラスに付着した油膜をよりキレイに洗い流す液（１０）は、バス、トラック用の噴射装置を示す、装置の形は円筒形と異なるが、油膜取り噴射口を設けた噴射装置（１１）はウインドウオッシャー液噴射口を示す（１２）は油膜取り液噴射口を示す（１３）はウインドウオッシャー液の流路を示す（１４）は油膜取り液の流路を示す、雪や雨降りの運転で、ウインドガラスに付着して、ギラついた油膜で視界が悪く、対向車のライトの光で目がくらみ危険を感じていたが、油膜取り液を噴射することにより、ウインドガラスの油膜を取り除き視界を広げて快適に安全運転が可能になるウインドクリーンウオッシャー装置。
【図面の簡単な説明】
【０００７】
【図１】本考案のウインドクリーンウオッシャー正面図。
【図２】本考案のウインドクリーンウオッシャー断面図。
【図３】本考案のウインドクリーンウオッシャー使用図。
【図４】本考案のバス、トラック用ウインドクリーンウオッシャー正面図。
【図５】本考案のバス、トラック用ウインドクリーンウオッシャー断面図。
【符号の説明】
【０００８】（１）  ウインドクリーンウオッシャー装置
（２）  油膜取り液噴射口
（３）  ウインドウオッシャー液噴射口
（４）  自動車ボディ
（５）  油膜取り液流路
（６）  ウインドウオッシャー液流路
（７）  ウインドガラス
（８）  ウインドウオッシャー液
（９）  油膜取り液
（１０）バス、トラック用ウインドクリーンウオッシャー装置
（１１）ウインドウオッシャー液噴射口
（１２）油膜取り液噴射口
（１３）ウインドウオッシャー液流路
（１４）油膜取り液流路
【図１】
0003103587.tif 000003
【図２】
0003103587.tif 000004
【図３】
0003103587.tif 000005
【図４】
0003103587.tif 000006
【図５】
0003103587.tif 000007
(57)【要約】      （修正有）【課題】本考案は無車検の車を使用する事を防止するものです。【解決手段】本考案は常に外部と乗務者が車検の有効期間を容易に確認できることにより車検切れの車を使用する事を防止する。【選択図】図１
0003103588.tif 000002
【実用新案登録請求の範囲】
【請求項１】
車検ステッカーの数字の上に穴をあけ表面からも、車のバックミラーで裏面からも数字（年、月）が確認出来るところを特徴とする、穴あき車検ステッカーとする。
【考案の詳細な説明】
【技術分野】
【０００１】本考案は車の後方ガラスに張ることにより外部から見やすく、車内のバックミラーからも常に車検の有効期間が確認出来るステッカーです
〔背景技術〕【０００２】車検ステッカーの有効期間の年、月の数字の上に穴をあけ両面から数字が確認出来るものです
〔考案の開示〕
〔考案が解決しょうとする課題〕【０００３】車検の有効期間が切れている車を使用することを防止する為です
〔課題が解決するための手段〕【０００４】他人も自分も表、裏、両面で数字が確認出来る
〔考案の効課〕【０００５】車検の有効期間切れの車の事故により被害者に二重の負担がかかることを防止する
〔考案の実施するための最良の形能〕【０００６】外形を楕円形にして内部を二分割にする
〔実施例〕【０００７】車の後方ガラスに容易に張れる
【図面の簡単な説明】
【０００８】
【図１】片面接着剤のついた穴あきシール
【符号の説明】
【０００９】１、表面接着剤のついた台紙
２、車検の有効期間の色を着色する
３、車検の有効期間の年、月
４、年、月の上に空洞の穴をあける
５、車検の有効期間の色を着色する
６、白地
【図１】
0003103588.tif 000003
(57)【要約】【課題】本考案は先端から直角に噴出する器具を使い、風呂釜内部の洗浄を容易にする。【解決手段】本考案はシャワーホースに先端より水が直角に噴出する器具１を接続し、水の噴出口３部分を風呂釜内部に挿入し、回転させながら洗浄することによって、風呂釜内部の洗浄を容易にし、清掃時間、労働負担を軽減するものである。【選択図】図１
0003103528.tif 000002
【実用新案登録請求の範囲】
【請求項１】
従来は風呂釜を清掃する場合、水道のホースを突っ込んで清掃するかまたは、洗浄剤を使用して清掃するかのどちらかでしたが、シャワーヘッドを取り外して、そこに鈎型をしたパイプの先端にパイプと直角に穴をあけて、シャワーホースに接続し二穴用風呂釜内部を洗浄するところを特徴とする風呂釜洗浄器具。
【考案の詳細な説明】
【技術分野】
【０００１】  本考案は、シャワーホースに風呂釜洗浄用のパイプを取り付けた風呂釜の清掃に関するものである。
【背景技術】
【０００２】  家庭用風呂釜の清掃は、水道のホースを挿入し水洗いの清掃するかまたは、洗浄剤を使用して清掃するかのどちらかでした。
【考案の開示】
【考案が解決しようとする課題】
【０００３】  風呂釜の清掃は、水道のホースを突っ込んで水洗いの清掃するかまたは、洗浄剤を使用して清掃するかのどちらかでしたが、ホースの場合は、直線で水が出るため風呂釜内部まで十分な清掃ができず釜内部に湯垢などが残っていましたが、直線に出る水を垂直に出すことによって管内部まで水圧がかかり、湯垢なども溜まらなくなります。
また清掃時間も大幅に短縮することが可能になり、前述の欠点を解決しようとするものである。【０００４】  本考案は、風呂場に設置してあるシャワーのヘッドを取り外し、そこに風呂釜洗浄用のパイプを接続し、パイプの先端から直角に水が吹き出るようにすることによって、風呂釜内部の洗浄が可能になりかつ、清掃時間及び労働負担が軽減できる問題点を解決している。
【考案の効果】
【０００５】上述のように、本考案の風呂釜洗浄器具を使用することによって風呂釜内部の洗浄が可能になり、清掃時間・労働負担も大幅に短縮できるようになった。
【考案の実施するための最良の形態】
【０００６】  風呂の浴槽内には温度差によって自然循環させるために上下に１個づつ穴があいており、室内又は室外に設置されている過熱器によって暖められた温水が上部の穴より出て、低部にある穴より冷水が入っていくという構造になっています。この二つの穴は直線部分ではホースを突っ込むことで清掃が可能ですが加熱部分にはホース又は水が届かず、清掃が困難でした。
シャワーホースに接続された洗浄用パイプを差し込み、穴の側面に沿ってパイプを回転させることによって穴側面に付着した湯垢や汚れを剥離し、また、上部との接続部分（加熱器部分）についても水がパイプと直角に噴出するため内部の清掃に必要な水流及び水圧を確保できる。
この作業を上下についている穴から交互に繰り返すことによって、風呂釜内にたまった湯垢などの不純物を洗い流せる。
実施例
【０００７】  以下添付図面に従って実施例を説明する。
１は塩ビパイプ又は金属製などの適宜材料で一体形成又は組み立てにて作成された風呂釜の洗浄用器具本体である。
２はシャワーホースとの接続部分でシャワーヘッドを取り外し、本体２をシャワーホースとの接続部分に装着する。ネジ又はワンタッチ式のどちらでもよい。
３は水の噴出口で穴の内部及び加熱部分の洗浄。また、先端部分は釜本体を損傷させないためにゴム又は適当なクッションをつける。
４は２箇所でそれぞれ９０度で折れ曲がっているが、２を持ち上げるか下げることによって、３の噴出口の向きが簡単に変えられるためである。
これは、上下の穴を入れ替えた場合も同じである。
【図面の簡単な説明】
【０００８】
【図１】本考案の風呂釜洗浄器具の実施例を示す側面図である。
【符号の説明】
【０００９】１  洗浄用器具本体
２  シャワーホースとの接続部分
３  水の噴出口
【図１】
0003103528.tif 000003
(57)【要約】      （修正有）【課題】杖本体の保護と杖使用者の安全を図った杖保護カバーを提供する。【解決手段】熱により収縮する素材に絵柄等の模様を蛍光塗料で印刷し、杖保護カバーをハサミ・カッターで切断し、熱湯又はドライヤー等の温風で装着させる。保護カバーの取替えが簡単にできるようにミシン目を施す。【選択図】図２
0003103522.tif 000002
【実用新案登録請求の範囲】
【請求項１】
杖本体を保護するための装着する杖保護カバーであり、熱等により収縮する素材に無地又は絵柄等の模様を印刷し、ミシン目を施した杖保護カバーです。
【請求項２】
蛍光塗料を印刷又は蛍光反射材を取り付けた請求項１の杖保護カバーです。
【考案の詳細な説明】
【技術分野】
【０００１】本考案は杖本体の保護と杖使用者の安全を図った杖保護カバーに関する考案です。
【背景技術】
【０００２】杖は昔よりお年寄りだけではなく、体の不自由な方々の手助けとして長年愛用され凄く役立っています。杖本体はカーボン製、スチール製、チタン製、アルミ製、木製等色々な素材で出来ています。しかしながらその素材の色ままか、柄物色物染色されたそのままである為、長期間使用すると錆びや汚れ、ささくれ立ち、色落ちなどが目に付く状態になってきます。【０００３】又、杖本体が夜間等において光等に反射するようなものとはなってません。
【考案の開示】
【考案が解決しようとする課題】
【０００４】杖本体に杖保護カバーを装着することにより、杖の錆びや汚れ、ささくれ立ち、色落ち等から長期間防ぐ事を図り、更に杖保護カバーの装着、取り替えが簡単に出来る様にします。【０００５】夜間等において杖本体に装着した杖保護カバーに光等が当たると蛍光反射するようにします。
【課題を解決するための手段】
【０００６】杖保護カバーは、熱により収縮する素材に絵柄等の模様を印刷し、杖本体が入るように筒状にします。杖本体の長さに応じて杖保護カバーをハサミ、カッターで切断し、熱湯又はドライヤー等の温風で装着させます。又、ミシン目を施し杖保護カバーの取替えを簡単に出来る様にします。【０００７】杖保護カバーの絵柄模様等の一部分に蛍光塗料で印刷します。又、無地の保護カバーも作ります、その場合杖保護カバーの内側に蛍光反射材を杖本体に両面テープで固定させ、その上から杖保護カバーを装着します。
【考案の効果】
【０００８】杖本体に杖保護カバーを装着することにより、錆び汚れ、ささくれ立ち、色落ち等を防ぎ、長期間の使用を可能とし、長年愛用している杖、使い心地の良い杖、使い慣れている杖を一新することが出来、新しく買うより安価で済みます。又好みの色や絵柄をＴＰＯに合わせて選択することが出来ます。【０００９】杖保護カバーに施された蛍光塗料又は蛍光反射材により、今使用中の杖が夜間などの使用時に車のライト等の光を反射させることが出来、使用者の存在をアピールする事が出来るので、夜間交通安全が図られます。【００１０】杖保護カバーには上から下までミシン目を入れる事により、簡単に剥がす事が出来ますので、保護カバーの交換も容易に出来ます。更に接着剤を使用しないので、ベタ付きも無く元の状態に容易に戻す事が出来るのも大きな利点の一つです。
【考案を実施するための最良の形態】
【００１１】杖保護カバーに使用する素材は、熱により収縮する特徴を有するポリスチレン、ポリエステル、ポリ塩化ビニール、プラスチック、ポリエチレンポリプロピレン等を原材料として、原材料の厚さは、２５〜７０ｕｍを用い筒状のカバーを作ります。【００１２】杖保護カバーは一定の幅と長さに絵柄や色等を印刷、その絵柄の一部分の印刷に、油性蛍光塗料微粉末タイプ、蛍光顔料微粉末タイプ等を使用して蛍光反射するようにします、又無地の保護カバーには杖に蛍光反射材を両面テープで固定させ、その上から杖保護カバーを装着します。【００１３】杖保護カバーの装着方法は、素材の熱により収縮する特徴を生かし、熱湯もしくはドライヤーの温風を利用して装着します。熱湯、ドライヤーを扱える人なら誰にでも簡単に装着、取替えが出来ます。【００１４】杖保護カバーの長さはフリーにするので使用の杖の長さに合わせて簡単にハサミ又はカッターで切ることが出来ます。又、折りたたみ型の杖もつなぎ目をカッターで切ることで対応出来ます。
【図面の簡単な説明】
【図１】  カバーを被せる範囲を示した平面図である
【図２】  カバーを被せる過程を示した平面図である
【符号の説明】
１
杖握り部分
２
保護杖カバーの模様の例
３
保護杖カバー
４
杖滑り止めゴム
５
杖本体
６
カバーを剥がす為のミシン目
【図１】
0003103522.tif 000003
【図２】
0003103522.tif 000004
(57)【要約】【課題】  バッグインボックス型液体包装体５を液体供給装置３の突出部材、即ち連結管４に直接セットして使用できるようにする。【解決手段】  液体供給装置３側の連結管４を根元部分から切断し、間に延長管２を挿入することにより延長型連結管１を形成し、バッグインボックス型液体包装体５を、延長型連結管１を介して液体供給装置３に直接取り付けられるようにした。【選択図】  図１
0003103521.tif 000002
【実用新案登録請求の範囲】
【請求項１】
液体供給装置３側の突出部材即ち、連結管４を根元部分から切断し、間に延長管２を挿入することにより延長型連結管１を形成し、バッグインボックス型液体包装体５の液体供給口６を延長型連結管１に直接連結し、同包装体５内部の液体を液体供給装置３内に流入することを可能にした延長型連結管１。
【考案の詳細な説明】
【考案の詳細な説明】
【背景技術】
【０００１】  冷却された飲料水と、これの温水とを供給する液体供給装置が多くの職場などに設置されている。この供給装置に飲料水を供給する手段としては飲料水を充填した大型ペットボトルを供給装置上部の受け部に連結管を介して直接セットし、装置の閉止栓を操作することで飲料水が供給される方法がとられている。【０００２】  しかし、この大型ペットボトルでの飲料水の供給方法には本質的な問題がある。即ち、装置の閉止栓を開放し飲料水を供給するが、そのときに周囲の空気を大型ペットボトル内部に吸入してしまい、飲料水を汚染する可能性が高いという問題点がある。【０００３】  このような大型ペットボトルによる飲料水の供給方法に代わる効果的な供給方法としてバッグインボックス型液体包装体がある。この包装体では飲料水を供給するとき、ダンボール箱に収容されたバッグが収縮するため周囲の空気を吸入しないという利点がある。【０００４】  しかしながら、このバッグインボックスにも問題がある。即ち、包装体の液体供給口と液体供給装置を連結するときに、ネジ付キャップをコック付キャップに交換した後、コックと液体供給装置側のホースを接続するなどの操作が必要であり、この操作のときに手がコックや、ホース、その近辺に触れ、菌が発生する恐れがある。【０００５】  そこで、バッグインボックス型液体包装体の特徴を生かし、この包装体の供給口を、大型ペットボトルを使用して飲料水を供給する方式の液体供給装置に適用できる包装体とした。
【考案が解決しょうとする課題】
【０００６】  バッグインボックス型液体包装体５を従来の液体供給装置の連結管４に直接セットして使用する際、連結管４の長さが短いため液体包装体５の液体供給口６が取り付けられないという問題点を有していた。
【課題を解決するための手段】
【０００７】  上記目的を達成するために、液体供給装置３側の連結管４を根元部分から切断し、間に延長管２を挿入することにより延長型連結管１を形成し、バッグインボックス型液体包装体５を、延長型連結管１を介して液体供給装置３に直接取り付けられるようにした。
【考案の効果】
【０００８】  本考案により、バッグインボックス型液体包装体５を大型ペットボトルの代わりに液体供給装置３に直接セットして使用することができる。
【図面の簡単な説明】
【０００９】
【図１】延長型連結管の正面図である。背面図も同じである。
【図２】延長型連結管の側面図である。
【図３】延長型連結管の上面図である。
【図４】延長管の断面図である。
【図５】連結管の斜視図である。
【図６】液体供給装置にバッグインボックス型液体包装体をセットした状態の一部を断面して示す側面図である
【図７】バッグインボックス型液体包装体の斜視図である。
【符号の説明】
【００１０】１  延長型連結管
２  延長管
３  液体供給装置
４  連結管
５  バッグインボックス型液体包装体
６  液体供給口
７  ダンボール
８  バッグ
【図１】
0003103521.tif 000003
【図２】
0003103521.tif 000004
【図３】
0003103521.tif 000005
【図４】
0003103521.tif 000006
【図５】
0003103521.tif 000007
【図６】
0003103521.tif 000008
【図７】
0003103521.tif 000009
【手続補正書】
【提出日】平成16年2月27日(2004.2.27)
【手続補正１】
【補正対象書類名】図面
【補正対象項目名】図３
【補正方法】変更
【補正の内容】
【図３】
0003103521.tif 000010
(57)【要約】【課題】本考案は、反応容器本体面に、窓あるいは開口を設け、その外側に光源装置を取り付け、容器内面に光を溶射することで、容器内部で光触媒を行なう。【解決手段】本考案は容器本体１に光を透過する窓８または開口５を設け、その開口５に光を透過するシール材３を貼付し、窓８または開口５より容器１の内部に光を透過する構造とし、その窓８または開口５の外面に接着やビスにて固定した光源装置４から溶射した光が、窓８または開口５より容器１の内壁に設けた光触媒体層２や容器１の内部に設けた光触媒体６にあたり、容器内部で、光触媒を行なう反応容器であり、構造の簡素化に役立ち、さらに容器１と光源装置４を一体化することにより、移動可能な光触媒装置となる。【選択図】      図１
0003103525.tif 000002
【実用新案登録請求の範囲】
【請求項１】
内面壁に光触媒層を持つ、あるいは容器内に、光触媒体を設けた容器で、容器本体の壁の少なくとも一部に光を透過する窓もしくは開口を持ち、容器外面に設けた脱着可能な光源装置より、その開口を通過し、容器内部の光触媒体に光を溶射することを特徴とする光触媒反応容器。
【考案の詳細な説明】
【０００１】
【考案が属する技術分野】
本考案は、内面にて、光触媒反応を行な容器で、容器外面に光源装置を設けた反応容器に関するものである。
【０００２】
【従来の技術】
従来は、光源を設けていない容器を太陽光に当たる位置に置くか、容器内部に光源を設け、容器内面で光触媒を行なっている。
【０００３】
【考案が解決しようとする課題】
光源を持たない容器の場合、蛍光灯や太陽光のある位置でしか使用できないため、室内等で蛍光灯や太陽光のない場所や容器入口が狭く、中に蛍光灯の光や太陽光が届かない形状物では、反応容器として役に立たない。また光源を内部に設けた反応容器の場合、光源自体の保護のため、光源の密閉構造が必要になり、構造が複雑になる。かつ、電源を別の場所に設ける必要があり、容器を安易に移動して使用することは出来ない。
従って、反応容器と容器外部に取付けた光源を一体化することにより、太陽光の届かない場所で使用可能となり、安易に移動できる単純な構造の光触媒装置を提供するものである。
【０００４】
【課題を解決するための手段】
本考案は、容器の内壁に、光触媒体層をコーティングした内面を持つ容器、あるいは容器の内部に、別の光触媒体を設けた容器で、容器の底面や側面の一部に、光を透過する窓もしくは開口を持つ構造とし、開口には、光を透過するシール材を貼付け、窓や開口の外面に、脱到着可能な光源装置を設け、容器面に設けた窓や開口より、内部に光を溶射することで、容器内部にて、光触媒反応を行なうことが出来るようにすることで、問題点を解決している。
【０００５】
【考案の実施の形態】
容器の内面をコーティングした光触媒層を設け、あるいは容器内部に光触媒体を入れ、容器の底面や壁の一部に光を透過する窓あるいは開口を設け、開口には、光を透過するシール材を貼り付ける。開口は、シール材を貼り付けることで、窓と同様の構造を持つ。容器の窓あるいは開口部外面に光源装置を取付けることで、反応容器と光源が一体化され、太陽光等外部光の届かない場所で使用可能となり、安易に移動できる単純な構造の光触媒装置となる。光源装置は、接着のほか、外壁にビスなどで固定することにより、脱着可能になる。
【０００６】
【実施例】
以下、添付図面に従って一実施例を説明する。１はガラスや透明プラスチック等適宜素材にて、一体成型された容器、２は、その容器の内部に施した光触媒層であり、一部コーティングを省くことで光を透過する窓８を形成している。３は光を透過するシール材であり、レンズ形状にすることで、光を拡散する効果も持たせることが出来る。このシール材３を開口５に密着固定し、取付けてある。開口５にシール材３を貼り付けることで、光を透過する窓８と同様の構造が得られる。４は、光源装置であり、窓８や開口５外側に、固定ビス７にて固定されており、容器１と光源装置４が一体化されている。６は、光触媒体であり、容器１の内部に設けられており、容器１には、入口より処理液体または処理気体が入る。
【０００７】
光源装置４は、発光ダイオードとスイッチ基盤と蓄電池が内蔵された装置であり、装置が固定ビス７で固定されているので、脱着も可能である。
【０００８】
光源装置４のスイッチが入り、光が容器１の外面より、容器１の底面または側面に設けた光を透過する窓８あるいは光を透過するシール材３を貼り付けた本体開口５を通り、容器１の内部に設けられた光触媒体６あるいは内面にコーティングされた光触媒層２に当り、容器内にて、光触媒反応を行なう装置である。
【０００９】
【考案の効果】
上述のように、本考案の光触媒の反応容器は、光源装置を容器外面に設けたため、設置場所を特定せず、移動可能となり、太陽光の入らない場所でも光触媒を可能にし、また容器内部に光源を設けることが無いため、容器内部の構造が簡素化され、使いやすい安価な反応容器を提供できる。また室内で、夜間など他に外部光が無い場合、容器の内部より光が外にあふれる事により、照明効果やデザイン効果も生み出す効果もある。
【図面の簡単な説明】
【図１】本考案の光触媒反応容器の一実施例を示す外観図である。
【図２】本考案の光触媒反応容器の一実施例を示す断面図である。
【符号の説明】
１    容器本体
２    光触媒層
３    光を透過するシール材
４    光源装置
５    本体開口
６    光触媒体
７    固定ビス
８    光を透過する窓
【図１】
0003103525.tif 000003
【図２】
0003103525.tif 000004
(57)【要約】      （修正有）【課題】保護カバー交換の際に、特別な工具や技術を必要としないベンチシートの開発。コンパクトサイズに畳めて、保管スペースや運送コストを軽減できるベンチシートの開発。【解決手段】カバーとクッションの接続にマジックテープを仕様する。背もたれ部と座席部を分離できるようにする。ビス止めされた蝶番により、ベンチ座席部の収納スペースに接地脚を折り畳めるようにする。【選択図】図２
0003103529.tif 000002
【実用新案登録請求の範囲】
【請求項１】
クッション部と、そのクッション部を覆う保護カバー各々にマジックテープが設けてあり、それを利用して背もたれ及び座席部各々の、保護カバー着脱が容易にできることが特徴のベンチシート
【請求項２】
背もたれ部と座席部が分離でき、尚且つ座席部内に収納用のスペースが設けてあり、そこにベンチシートの接地脚を折り畳み収納することで、体積を減少できることが特徴のベンチシート
【考案の詳細な説明】
【考案の開示】
【考案が解決しようとする課題】
【０００１】全国展開しているレストランチェーンにおいて、各店舗で使用しているベンチシートの保護カバーが破損・老朽した場合、専門の業者や工具が必要となるので、誰でも簡単に作業が可能で、且つ工具等を必要としないベンチシートの提供。それと同時に本部より各店舗に配送となるので、倉庫費や運送費が削減可能なコンパクトサイズのベンチシートの提供。
【課題を解決するための手段】
【０００２】クッション部の、背もたれは背面、座席部は底面、保護カバー部は生地裏面の、各々の端にマジックテープを設置。それにより容易な着脱が可能となる。接地脚は座席底部に収納スペースを設けることにより、ビス止めされた蝶番を使用して、展開および収納が可能。
【考案の効果】
【０００３】クッション部、保護カバーは各々分離が可能なので、破損部のみの交換が部品単位で可能となるため、今までのように、ベンチシート全体での交換が必要ないので、コスト削減が可能。また特殊な技能や工具を必要としないので、交換作業に伴う人件費の削減も可能。背もたれと座席部の分離や接地脚の収納により、コンパクトにまとまることで、収納スペースの軽減や運送コストの削減が可能となる。
【図面の簡単な説明】
【０００４】
【図１】ベンチシートの寸法と背もたれ部と座席部の分離
【図２】接地脚の収納・展開図
【図３】保護カバーの取付図
【図４】完成図
【図１】
0003103529.tif 000003
【図２】
0003103529.tif 000004
【図３】
0003103529.tif 000005
【図４】
0003103529.tif 000006
【手続補正書】
【提出日】平成15年10月8日(2003.10.8)
【手続補正１】
【補正対象書類名】図面
【補正対象項目名】全図
【補正方法】変更
【補正の内容】
【図１】
0003103529.tif 000007
【図２】
0003103529.tif 000008
【図３】
0003103529.tif 000009
【図４】
0003103529.tif 000010
【手続補正書】
【提出日】平成15年12月8日(2003.12.8)
【手続補正１】
【補正対象書類名】実用新案登録請求の範囲
【補正対象項目名】全文
【補正方法】変更
【補正の内容】
【実用新案登録請求の範囲】
【請求項１】
クッション部と、そのクッション部を覆う保護カバー各々に面ファスナーが設けてあり、それを利用して背もたれ及び座席部各々の、保護カバー着脱が容易にできることが特徴のベンチシート。
【請求項２】
背もたれ部と座席部が分離でき、尚且つ座席部内に収納用のスペースが設けてあり、そこにベンチシートの接地脚を折り畳み収納することで、体積を減少できることが特徴の請求項１記載のベンチシート。
(57)【要約】【課題】ケーブル敷設用管路の移設作業中、管路ツギテ部の破損による、管路及びケーブルの損傷を防止する。【解決手段】管路固定バンド（１）で左右の管路を固定し、ツギテ固定バンド（２）でツギテを固定し、固定板（３）によりツギテ部に掛かる荷重を吸収させる。【選択図】  図１
0003103549.tif 000002
【実用新案登録請求の範囲】
【請求項１】
管路及びツギテを把持する為の、相互を固定したバンドを有し、ケーブル敷設用管路接続部に装着することで、ツギテに掛かる荷重の低減を特徴とする器具。
【考案の詳細な説明】
【技術分野】
【０００１】この考案は、ケーブル敷設用管路の接続ツギテ部を、保護固定する為の考案である。
【背景技術】
【０００２】従来は、１．６ｍｍ鉄線を、接続ツギテ部に８の字巻きにし、固定していた。
【考案の開示】
【考案が解決しようとする課題】
【０００３】ケーブル敷設用管路の接続ツギテ部を、容易に、確実に保護固定する。
【課題を解決するための手段】
【０００４】左右の管路を固定するバンド（１）と、接続ツギテを固定するバンド（２）を、２枚の板（３）で固定する。（１）（２）のバンドの下部には自在ツガイ（４）、上部にはクランプ（５）、内側には滑り止め（６）を取り付ける。
【考案の効果】
【０００５】ツギテ部分が確実に補強でき、管路移設作業時の、ツギテ部破損による、ケーブル損傷、管路損傷が回避出来る。
【実施例】
【０００６】（イ）ツギテ固定のバンド（２）を、ツギテ部分に合わせセットする。
（ロ）管路固定バンド（１）と、ツギテ固定バンド（２）のクランプを締め付け、固定する。
【図面の簡単な説明】
【０００６】
【図１】本考案の斜視図
【図２】本考案の実施図
【符号の説明】
【０００７】      １．管路固定バンド
２．ツギテ固定バンド
３．固定板
４．自在ツガイ
５．クランプ
６．滑り止め
７．管路
８．ツギテ
【図１】
0003103549.tif 000003
【図２】
0003103549.tif 000004
【手続補正書】
【提出日】平成16年3月25日(2004.3.25)
【手続補正１】
【補正対象書類名】実用新案登録請求の範囲
【補正対象項目名】全文
【補正方法】変更
【補正の内容】
【実用新案登録請求の範囲】
【請求項１】
管路及びツギテを把持する為の、相互を固定したバンドを有し、ケーブル敷設用管路接続部に装着することで、ツギテに掛かる荷重の低減を特徴とする、管路移設用ツギテ部保護具。
(57)【要約】【課題】  本考案は夜間に地震や災害時に懐中電灯にて明かりを確保し、音声発生装置にて心理的不安を解消させると同時に非難時には防災セット容器内に収納してある防災用具等で安全な行動が出来る防災セット容器を提供するものである。【解決手段】  樹脂又はプラスチックの容器の中に振動センサーを収納し振動をキャッチすると照明が点灯し同時に音声により不安を解消させるとともに避難時には防災セット容器に収納してある防災用具等で安全な避難が出来る防災セット容器【選択図】    図１  
0003103545.tif 000002
【実用新案登録請求の範囲】
【請求項１】
容器の中に振動を検出するセンサーと懐中電灯を設置し，振動を検出すると懐中電灯のランプを点灯させる，この懐中電灯のランプの周りの三面を透明な樹脂にしておき，容器が転倒しても，いずれかの面からランプの明かりが確保出来る構造となっている防災セット容器
【請求項２】
前記センサーが振動を検出すると，音声にて注意を促す音声発生装置を内蔵している防災セット容器
【請求項３】
容器には防災用具などが収納出来る構造となっている防災セット容器
【請求項４】
請求項  １．２．３．を一体化した防災セット容器
【考案の詳細な説明】
【技術分野】
【０００１】
本考案は，夜間の地震等の災害時に振動を捕らえ，照明を確保すると同時に音声により心理的不安を抑え安全な行動を促す防災セット容器である，又避難時に安全な行動が出来る様にスリッパや軍手などが収納出来る構造を持っている防災セット容器である
【背景技術】
【０００２】
従来の振動等により照明を点灯させる装置は有るが，転倒して照明のレンズ部が床面等に向いた場合十分な明かりが確保出来ない本防災セット容器の懐中電灯の照明部分の前面三箇所を透明な樹脂等にする事により，防災セット容器が転倒しても何れかの面から照明の明かりを確保する事が出来る。
【考案の開示】
【考案が解決しようとする課題】
【０００３】
本考案は夜間の地震や災害時に周りの明かりが無く，心理的な不安状態になるのを，照明や音声等により心理的不安状態を和らげ，又避難時には安全な行動が出来る防災用具などが収納出来る構造となっている。    
【課題を解決するための手段】
【０００４】
本考案は容器の懐中電灯の明かりが出る部分を三面に設け用具が振動等で転倒しても何れかの面から明かりが確保出来る構造となっている又夜間の災害などで停電し心理的な不安を音声で知らせ、不安を解消させると共に避難時には、この用具に収納してある防災用具等により安全な避難行動が出来る様にした。
【考案の効果】
【０００５】
本考案の防災セット容器は夜間の地震や災害時に懐中電灯の明かりを点灯させ，同時に音声により心理的不安を和らげ，防災セット容器の中に有る防災用具などで安全な行動が出来る。
【考案を実施するための最良の形態】
【０００６】
図１の容器上面のＡ．Ｂ．Ｃ．の部分を透明な樹脂にして懐中電灯の明かりが三方向から出る様にする図１の３の部分は振動をキャッチするセンサーを収納する部分で有る、図１の４は音声発生装置と電池を収納する部分で有る又図１の２は防災用具等の収納個所である。
図１の５は懐中電灯のランプ部分であり又図１の１は、トビラ部分である。  
【実施例】
【０００７】
図１は防災セット容器の全体図であり、容器全体は樹脂等で出来て    おり，Ａ．Ｂ．Ｃ．の三面は透明になっており容器が転倒してもＡ．Ｂ．Ｃ．のいずれかの面から照明の明かりが確保できる構造となっている。又容器には音声発生装置を収納し，振動を感知すると注意を促す音声を出す様になっている。    
【図面の簡単な説明】
【０００８】
【図１】立面図
【符号の説明】
【０００９】
１・・・・容器のトビラ
２・・・・防災用具の収納個所
３・・・・振動感知センサー
４・・・・音声発生装置及び電池収納個所
５・・・・懐中電灯のランプ部分
【図１】
0003103545.tif 000003
【手続補正書】
【提出日】平成16年3月24日(2004.3.24)
【手続補正１】
【補正対象書類名】実用新案登録請求の範囲
【補正対象項目名】全文
【補正方法】変更
【補正の内容】
【実用新案登録請求の範囲】
【請求項１】
容器の中に振動を検出するセンサーと懐中電灯を設置し，振動を検出すると懐中電灯のランプを点灯させる，この懐中電灯のランプの周りの三面を透明な樹脂にしておき，容器が転倒しても，いずれかの面からランプの明かりが確保出来る構造となっている防災セット容器
【請求項２】
前記センサーが振動を検出すると，音声にて注意を促す音声発生装置を内蔵している事を特徴とする請求項１記載の防災セット容器
【請求項３】
容器には防災用具などが収納出来る構造となっている事を特徴とする請求項１記載の防災セット容器
【請求項４】
請求項  １．２．３．を一体化した防災セット容器
(57)【要約】      （修正有）【課題】鞘内に安全かつ容易に鋸を保持し抜け落ちを防止するための構造を有する鋸用鞘を提供する。【解決手段】鞘本体１には１側面の壁を取り除いた開放面１ａを設ける。鞘本体１内部の底面には隆起部分１ｂを設ける。鞘内部に受容された鋸刃が横方向にすべるのを防止する為に突起物１ｃを内部上面に設ける。鞘本体にはベルト通し２が設けられており作業者のベルトに通して鞘を作業者の腰部分に取り付けられるようにする。【選択図】図１
0003103541.tif 000002
【実用新案登録請求の範囲】
【請求項１】
鋸刃自身の持つ弾性力（ばね性）を利用して鋸を鞘内に保持できる構造を持つ鞘。
【請求項２】
鞘の一側面に設けられた挿入口からの鋸身の挿入を容易にする為に大きな案内板を鞘の側面に設けた構造を持つ鞘。
【考案の詳細な説明】
【考案の詳細な説明】
【技術分野】
【０００１】この考案は鋸を収納する鞘内に安全かつ容易に鋸を保持し抜け落ちを防止するための構造を有する鋸用鞘に関するものである。
【背景技術】
【０００２】従来の鋸の鞘では鋸を鞘内に保持する為に押圧する弾性力を持つバネ等を設けたり、あるいは鋸の保持部と鞘の挿入部の係合を固めにする事で鋸を鞘内に保持していた。弾性力を持つばね等を利用する場合には鞘部または鋸保持部に設ける必要があるが、この場合に部品コストがかかると同時に部品を取り付ける余分な工程や時間が必要となり、又鞘の構造が複雑となる為生産コストの上昇となっていた。【０００３】係合を固めにする場合には鋸の係合部分と鞘の挿入部の係合に微妙な調整が必要となる。しかも鋸の挿入と取り出しを繰り返す内に係合部分に緩みが生じ鞘内に鋸を保持できない状態になり、ひいては鋸が鞘から抜け落ちて非常に危険である。【０００４】簡便な鋸の抜け落ち防止策としてループ状の皮／ビニール製のベルトを鋸保持部の周囲に掛ける方法もあるが、このループ状のベルトは鋸を出し入れする際に鋸の刃部に引っかかる事が多く著しく障害となり作業能率を下げる。
【考案が解決しようとする課題】
【０００５】鋸を鞘内に保持する為に弾性力のあるばね等の余分な部品を設ける場合には構造が複雑になり製造コストが上昇する。又係合で鋸を鞘に保持する場合には堅すぎず緩すぎずの微妙な圧接力の調節が必要であるがその様な微調整も生産コストの上昇になる。しかも長年の鋸の出し入れにより係合に緩みが生じ鋸が鞘から抜け落ちて作業者に怪我を負わせる可能性もある。ループ状ベルト等で保持する場合においても鋸の出し入れの際にベルトに鋸の刃が引っ掛かり作業の障害となる。
【課題を解決するための手段】
【０００６】本考案はこれらの欠点を除くためになされたもので、従来の鞘の一側面の壁面を取り除いて開口部を設けその側面の開口部へ鋸身の背から平行移動させ挿入する構造の鞘にあって、鞘内部の１壁面に隆起部を設け鋸身がその隆起部に乗り上げる事で鋸刃の持つ弾性力を生ぜしめ鞘内に鋸を収納保持するものである。
【０００７】又鞘内面に突起部を設ける事により鋸が鞘から飛び出すのを防止する。鋸を鞘から取り出す際には鋸の柄を鋸刃の復元力の反対方向に押さえることにより突起部から開放した後、鞘の側面から横方向にスライドさせて鞘から取り出す。
鞘の鋸刃挿入口周辺には鋸刃を鞘内に誘導案内するための案内板を設ける。これにより長い鋸刃でも簡単に鞘に挿入できる。鞘の製作にあたっては弾性を持つばね等の部品を用いる必要がないので簡単に製造可能で、生産コストも低く押さえられる。
【考案を実施するための最良の形態】
【０００８】図１に示すように鞘本体１の１側面の壁を取り除き１ａのように開放し鞘本体の内側を覗き込むことが出来るようにする。これにより図２に示す鋸刃４を１ａ部分から挿入可能にする。又鞘の正面図６に示す通り１ａ部分は鞘上面の部分より出っ張った形状を有しているが鋸を鞘に挿入する際にはこの出っ張った部分に鋸刃を載せることにより鞘内に鋸を案内する役目を果たす。【０００９】鞘本体１の内側の底面には隆起部分１ｂを設ける。図２のように鋸刃４を鞘本体に滑り込ませる従って、この隆起部分に鋸刃４が暫時乗り上げる事になる。鋸刃には弾性があるので鋸刃を鞘の底面側に押さえつけながら１ｃ部分の下をくぐらせて（図５参照）鞘本体に受容させる。鋸が鞘内に完全に受容された状態（図７参照）で手を放すと鋸刃の弾性により鋸刃が鞘１の上面に押さえつけられる（図４参照）と共に突起部１ｃで鋸は鞘内に保持される。
【実施例】
【０００１０】本考案の実施例を図１に基づいて説明する。図１の鞘本体１には１側面の壁を取り除いた開放面１ａを設ける。鞘本体１内部の底面には隆起部分１ｂを設ける。鞘内部に受容された鋸刃が横方向にすべるのを防止する為に突起物１ｃを部上面に設ける。鞘本体にはベルト通し２が設けられており作業者のベルトに通して鞘を作業者の腰部分に取り付けられるようにする。
【考案の効果】
【０００１１】図６の１ａに示す案内板に鋸刃４の先端を合わせるだけで簡単に鞘内部に鋸刃を案内挿入出来る。又鋸刃４が持つ弾性を利用する為にばね等の他の部品の装着が不要となる。これにより組み立てが簡単でコストの低減な鞘の製作が可能となる。
【図面の簡単な説明】
【図１】鞘の斜視図である。
【図２】鞘に鋸３を挿入しようとしている図である。
【図３】鞘に鋸が受容された状態を示す。
【図４】鞘本体１に鋸３が受容された状態の側面図である。
【図５】鞘本体１から鋸３を取り出す際、あるいは鞘本体１に鋸３を挿入する際に突起部１をくぐらせる瞬間を図示したものである。
【図６】鞘の正面図である。
【図７】鞘に鋸を収めた時の正面図である。
【符号の説明】
１鞘本体
１ａ    開口部
１ｂ    鞘内部の隆起部
１ｃ    突起部
２  鞘吊り具
３  鋸
４  鋸刃
５  鋸柄
【図１】
0003103541.tif 000003
【図２】
0003103541.tif 000004
【図３】
0003103541.tif 000005
【図４】
0003103541.tif 000006
【図５】
0003103541.tif 000007
【図６】
0003103541.tif 000008
【図７】
0003103541.tif 000009
【手続補正書】
【提出日】平成16年3月15日(2004.3.15)
【手続補正１】
【補正対象書類名】実用新案登録請求の範囲
【補正対象項目名】全文
【補正方法】変更
【補正の内容】
【実用新案登録請求の範囲】
【請求項１】
鋸の鞘にあって、鞘内部の上壁面に鋸刃を押し付ける作用を生ぜしめる目的で相対する下壁面の一部に隆起部（１ｂ）を設け、且つ上壁面の挿入差し出し口付近に突起部（１ｃ）が配置された構造を持つ鞘。